(57)【要約】  本発明は、無線通信システムにおけるランダムアクセスチャンネルの信号の送信方法を提供する。その流れはこのようにある。端末はアップリンクパイロットスロットの終わり位置で、設定された時間の前に、ランダムアクセスチャンネルでプリアンブルを送信する。そのプリアンブルの長さが2つのサイクリックプレフィックスのついていない符号の長さである。もう一つの無線通信システムにおけるランダムアクセスチャンネルの信号の送信方法の流れは、端末はアップリンクパイロットスロットの終わり位置で、設定された時間の前に、ランダムアクセスチャンネルでサイクリックプレフィックスとプリアンブルを順次に送信する。そのプリアンブルの長さが2つのサイクリックプレフィックスのついていない符号の長さである。当方法はプリアンブルがアップリンクサブフレームのデータを干渉することが避けられ、ランダムアクセスチャンネルのカバー範囲を拡大し、時分割複信システムの効率を向上させることができる。
2011501930.tif 000002
【特許請求の範囲】
【請求項１】
無線通信システムにおけるランダムアクセスチャンネルの信号の送信方法であって、端末はアップリンクパイロットスロットの終わり位置で、設定された時間の前に、ランダムアクセスチャンネルでプリアンブルを送信する、そのプリアンブルの長さが2つのサイクリックプレフィックスのついていない符号の長さであることを特徴とする送信方法。
【請求項２】
上記サイクリックプレフィックスのついていない符号の長さは、上記プリアンブルの長さTpreの1/2、即ち、Tpre/2である、その中、Tpre=4096×Tsであり、Ts=1/30.72μsであることを特徴とする請求項１に記載の送信方法。
【請求項３】
上記プリアンブルは、アップリンクパイロットスロットの終わりの位置よりn×Ts前に送信し、その中、n×Tsは上記アップリンクパイロットスロットの長さである、
或いは上記プリアンブルは、アップリンクパイロットスロットの終わりの位置よりm×Ts前に送信し、その中、m×Tsは上記ランダムアクセルチャンネルが位置する上記アップリンクパイロットスロットのサイクリックプレフィックスつきの符号の全長であることを特徴とする請求項１或いは請求項2に記載の送信方法。
【請求項４】
上記プリアンブルは上記アップリンクパイロットスロットの終わりの位置より4400×Ts前に送信し、その中、上記アップリンクパイロットスロットの長さは4400×Tsである、
或いは、上記プリアンブルは、上記アップリンクパイロットスロットの終わりの位置より4384×Ts前に送信し、その中、上記アップリンクパイロットスロットの長さは4384×Tsである、
或いは、上記プリアンブルは、上記アップリンクパイロットスロットの終わりの位置より4416×Ts前に送信し、その中、上記アップリンクパイロットスロットの長さは4416×Tsである、
ことを特徴とする請求項２に記載の送信方法。
【請求項５】
上記無線通信システムは、TDDモードが採用された長期発展型システムであり、上記符号は直交周波数多重符号であることを特徴とする請求項１から請求項４のいずれか１項に記載の送信方法。
【請求項６】
無線通信システムにおけるランダムアクセスチャンネルの信号の送信方法であって、端末はアップリンクパイロットスロットの終わり位置で、設定された時間の前に、ランダムアクセスチャンネルでサイクリックプレフィックスとプリアンブルを順次に送信する、そのプリアンブルの長さが2つのサイクリックプレフィックスのついていない符号の長さであることを特徴とする送信方法。
【請求項７】
上記サイクリックプレフィックスのついていない符号の長さは、上記プリアンブルの長さTpreの1/2、即ち、Tpre/2でありる、その中、Tpre=4096×Tsであり、Ts=1/30.72μsであることを特徴とする請求項6に記載の送信方法。
【請求項８】
上記設定された時間は、n×Ts+Tcpである、その中、n×Tsは上記アップリンクパイロットスロットの長さであり、Tcpは上記サイクリックプレフィックスの長さであり、Ts=1/30.72μsであることを特徴とする請求項６に記載の送信方法。
【請求項９】
上記サイクリックプレフィックスの長さは、Tcp=m×Ts-Tpre+Tdsである、その中、m×Tsは、上記ランダムアクセルチャンネルが位置する上記アップリンクパイロットスロットのサイクリックプレフィックスつきの符号の全長さである、Tdsは、上記アップリンクパイロットスロットにおいて順次に送信されたサイクリックプレフィックス及びプリアンブルが応用された環境で、マルチパスの遅延拡散の最大長さである、単位はμsである、Tpre=4096×Tsであり、Ts=1/30.72μsであることを特徴とする請求項８に記載の送信方法。
【請求項１０】
上記設定された時間は、m×Tsである、その中、m×Tsは、上記ランダムアクセルチャンネルが位置する上記アップリンクパイロットスロットのサイクリックプレフィックスつきの符号の全長である、Tcpは、上記サイクリックプレフィックスの長さであり、Ts=1/30.72μsであることを特徴とする請求項6に記載の送信方法。
【請求項１１】
上記サイクリックプレフィックスの長さは、Tcp=(m×Ts-Tpre)/2+Tds/2である、その中、m×Tsは、上記ランダムアクセルチャンネルが位置する上記アップリンクパイロットスロットのサイクリックプレフィックスつきの符号の長さである、Tdsは、上記アップリンクパイロットスロットにおいて順次に送信されたサイクリックプレフィックス及びプリアンブルが応用された環境でのマルチパスの遅延拡散の最大長さである、単位はμsである、Tpre=4096×Tsであり、Ts=1/30.72μsであることを特徴とする請求項８或いは請求項１０に記載の送信方法。
【請求項１２】
上記ランダムアクセルチャンネルは、以下の方式のいずれかで送信する、
上記アップリンクパイロットスロットの長さが4400×Tsであり、Tcp=304×Tsである場合、上記設定される時間長さが4704×Tsである、
或いは、上記アップリンクパイロットスロットの長さが4384×Tsであり、Tcp=288×Tsである場合、上記設定される時間長さが4672×Tsである、
或いは、上記アップリンクパイロットスロットの長さが4416×Tsであり、Tcp=320×Tsである場合、上記設定される時間長さが4736×Tsである、
或いは、上記アップリンクパイロットスロットの長さが4400×Tsであり、Tcp=464×Tsである場合、上記設定される時間長さが4864×Tsである、
或いは、上記アップリンクパイロットスロットの長さが4384×Tsであり、Tcp=448×Tsである場合、上記設定される時間長さが4832×Tsである、
或いは、上記アップリンクパイロットスロットの長さが4416×Tsであり、Tcp=480×Tsである場合、上記設定される時間長さが4896×Tsである、
或いは、上記アップリンクパイロットスロットの長さが4400×Tsであり、Tcp=448×Tsである場合、上記設定される時間長さが4848×Tsである、
或いは、上記アップリンクパイロットスロットの長さが4384×Tsであり、Tcp=432×Tsである場合、上記設定される時間長さが4816×Tsである、
或いは、上記アップリンクパイロットスロットの長さが4416×Tsであり、Tcp=464×Tsである場合、上記設定される時間長さが4880×Tsであることを特徴とする請求項６に記載の送信方法。
【請求項１３】
上記無線通信システムは、時分割複信モードが採用された長期発展型システムであり、上記符号は、直交周波数多重符号であることを特徴とする請求項６から請求項１０および請求項１２のいずれか１項に記載の送信方法。
【発明の詳細な説明】
【技術分野】
【０００１】
本発明は、移動通信領域に関し、特に無線通信システムにおけるランダムアクセスチャンネルの信号の送信方法に関わるものである。
【背景技術】
【０００２】
図1はLTE(Long Term Evolution：長期発展型)システムのTDD(Time Division Duplex：時分割複信)モードのフレーム構造を示している。このようなフレーム構造では、10msのradio frame(無線フレーム)が二つのhalf frame(半分のフレーム)に分けられ、半分のフレーム毎に長さ0.5msのスロット(#1~#9)10ずつに分けられ、二つのスロットにより、長さ1msのサブフレームとなっている。半分のフレームにサブフレーム(サブフレーム0~サブフレーム4)が5つ含まれている。スロットには、長さ5.21μs及び長さ4.69μsの短いCP(Cyclic Prefix：サイクリックプレフィックス)である場合は、長さ66.7μsの符号が7つ含まれている。その中、1番目の符号におけるCPの長さが5.21μsであり、他の6つの符号におけるCPの長さが4.69μsである。長さ16.67μsの長いCPである場合は、符号が6つ含まれている。そのようなフレームの構造はサブフレームが下記のように配置されている。
【０００３】
（１）サブフレーム0がダウンリンクに専用されている。
【０００４】
（２）サブフレーム1(下記、特殊なサブフレームと呼ばれる)は、DwPTS(Downlink Pilot Time Slot：ダウンリンクパイロットタイムスロット)、GP(Guard Period：ガード間隔)、及びUpPTS(Uplink Pilot Time Slot：アップリンクパイロットタイムスロット)という3つの特殊なスロットが含まれている。その中、
(i)DwPTSは、ダウンリンクに用いられ、少なくとも一つの符号がP-SCH(Primary-Synchronization Channel：プライマリ同期チャンネル)の伝送に用いられる。DwPTSは複数の符号を含めている場合、P-SCHが1番目の符号に配置される(図1に示す)。
【０００５】
(ii)GPは、保護間隔であり、いかなるデータは伝送されない。
【０００６】
(iii)UpPTSはアップリンクに用いられ、RACH(Random Access Channel：ランダムアクセスチャンネル)、データ、sounding(探測)パイロットなどの信号の伝送に用いられる。
【０００７】
（３）サブフレーム1の後に位置するサブフレームについて、前のnつ(1≦n≦3)のサブフレームはアップリンク伝送に用いられ、後の3-nつのサブフレームはダウンリンク伝送に用いられる。
【０００８】
図2のように、RACHチャンネルは、CPとpreamble(プリアンブル)の二つの部分により構成される。長さはそれぞれTcp とTpreである。その中、CPの長さが0でもよい。また、preambleの終わり位置とUpPTSの終わりの位置の距離はTgt(図1に示す)である。ある仕様では、CPとpreambleを統括的にプリアンブルと呼ばれる。CPは同じサイクリックプレフィックスと呼ばれる。図2のpreambleをシーケンスと呼ばれる。本発明は、RACHチャンネルの構造及びその構成部分の名称は図2に示している名称を採用する。
【０００９】
UpPTSでRACHの信号をどのように送信するか、その送信方法は現在のところではまだ解決案が出されていないというのは現状である。
【発明の概要】
【発明が解決しようとする課題】
【００１０】
本発明は、無線通信システムにおけるランダムアクセスチャンネルの信号の送信方法を提供することを目的とする。
【００１１】
端末はRACHにより信号を送信するとき、preambleがその後のアップリンクサブフレームのデータを干渉しないことが要求される。周知のように、RACHの先頭が前に位置するほど、Tgtが大きくなり、システムの許容ランダムアクセスチャンネルにおける信号の伝送遅延が長くなり、ランダムアクセルチャンネルのカバー範囲が有効に拡大できる。しかし、RACHの位置が前に位置しすぎると、その前のダウンリンク信号を干渉してしまうことになる。それと同時に、preambleの前にCPを配置すれば、エリアの境界でのUE(ユーザデバイス)からの信号および他のマルチパスも受信機の検索ウィンドに取られる。
【課題を解決するための手段】
【００１２】
上記の技術課題を解決するために、本発明は無線通信システムにおけるランダムアクセスチャンネルの信号の送信方法を提供する。その特徴はこのようにある。端末はアップリンクパイロットスロットの終わり位置で、設定された時間の前に、ランダムアクセスチャンネルでプリアンブルを送信する。そのプリアンブルの長さが2つのサイクリックプレフィックスのついていない符号の長さである。
【００１３】
さらに、上記の送信方法において、上記サイクリックプレフィックスのついていない符号の長さは、上記プリアンブルの長さTpreの1/2、即ち、Tpre/2である。その中、Tpre=4096×Tsであり、Ts=1/30.72μsであることを特徴としている。
【００１４】
さらに、上記送信方法は下記のような特徴がある。上記プリアンブルは、アップリンクパイロットスロットの終わりの位置よりn×Ts前に送信し、n×Tsは上記アップパイロットスロットの長さである。或いは、上記プリアンブルは、アップパイロットスロットの終わりの位置よりm×Ts前に送信し、その中、m×Tsは上記ランダムアクセルチャンネルが位置している上記アップパイロットスロットのサイクリックプレフィックスつきの符号の全長である。
【００１５】
さらに、上記の送信方法は下記のような特徴がある。
【００１６】
上記プリアンブルが上記アップパイロットスロットの終わりの位置より4400×Ts前に送信する場合は、上記アップパイロットスロットの長さは4400×Tsである。
【００１７】
或いは、上記プリアンブルが上記アップパイロットスロットの終わりの位置より4384×Ts前に送信する場合は、上記アップパイロットスロットの長さは4384×Tsである。
【００１８】
或いは、上記プリアンブルが上記アップパイロットスロットの終わりの位置より4416×Ts前に送信する場合は、上記アップパイロットスロットの長さは4416×Tsである。
【００１９】
さらに、上記送信方法において、上記無線通信システムは、TDDモードが採用される長期発展型システムであり、上記符号は直交周波数多重符号であることも特徴としている。
【００２０】
上記の技術課題を解決するために、本発明はもう一つの無線通信システムにおけるランダムアクセスチャンネルの信号の送信方法を提供する。それは端末がアップリンクパイロットスロットの終わりの位置より、設定された時間の前にサイクリックプレフィックス及びプリアンブルを順次に送信する。上記のプリアンブルの長さが2つのサイクリックプレフィックスのついていない符号の長さである。さらに、上記の送信方法は下記の特徴もある。上記サイクリックプレフィックスのついていない符号の長さは、上記プリアンブルの長さTpreの1/2、即ち、Tpre/2である。その中、Tpre=4096×Tsであり、Ts=1/30.72μsである。
【００２１】
さらに、上記送信方法において、上記設定された時間は、n×Ts+Tcpであり、その中、n×Tsは上記アップリンクパイロットスロットの長さであり、Tcpは上記サイクリックプレフィックスの長さであり、Ts=1/30.72μsであることを特徴としている。
【００２２】
さらに、上記の送信方法において、上記サイクリックプレフィックスの長さはTcp=m×Ts-Tpre+Tdsである。その中、m×Tsは、ランダムアクセルチャンネルが位置する上記アップリンクパイロットスロットのサイクリックプレフィックスつきの符号の全長である。Tdsは、上記アップリンクパイロットスロットにおいて順次に送信されたサイクリックプレフィックス及びプリアンブルが応用された環境で、マルチパスの遅延拡散の最大長さである。単位はμsである。Tpre=4096×Tsであり、Ts=1/30.72μsであることを特徴としている。
【００２３】
さらに、上記送信方法において、  上記設定された時間長さは、m×Tsである。その中、m×Tsは、上記ランダムアクセルチャンネルが位置する上記アップリンクパイロットスロットのサイクリックプレフィックスつきの符号の全長である。Tcpは上記サイクリックプレフィックスの長さであり、Ts=1/30.72μsであることを特徴としている。
【００２４】
さらに、上記送信方法において、下記のような特徴がある。上記サイクリックプレフィックスの長さは、Tcp=(m×Ts-Tpre)/2+Tds/2である。その中、m×Tsは、ランダムアクセルチャンネルが位置する上記アップリンクパイロットスロットのサイクリックプレフィックスつきの符号の長さである。Tdsは、上記パイロットスロットにおいて順次に送信されたサイクリックプレフィックス及びプリアンブルが応用された環境で、マルチパスの遅延拡散の最大長さである。単位はμsである。Tpre=4096×Tsであり、Ts=1/30.72μsである。
【００２５】
さらに、上記の送信方法は下記のような特徴がある。上記ランダムアクセルチャンネルは以下の方式の一つを採用して伝送する。
【００２６】
上記アップリンクパイロットスロットの長さが4400×Tsであり、Tcp=304×Tsである場合、上記設定される時間長さが4704×Tsである。
【００２７】
或いは、上記アップリンクパイロットスロットの長さが4384×Tsであり、Tcp=288×Tsである場合、上記設定される時間長さが4672×Tsである。
【００２８】
或いは、上記アップリンクパイロットスロットの長さが4416×Tsであり、Tcp=320×Tsである場合、上記設定される時間長さが4736×Tsである。
【００２９】
或いは、上記アップリンクパイロットスロットの長さが4400×Tsであり、Tcp=464×Tsである場合、上記設定される時間長さが4864×Tsである。
【００３０】
或いは、上記アップリンクパイロットスロットの長さが4384×Tsであり、Tcp=448×Tsである場合、上記設定される時間長さが4832×Tsである。
【００３１】
或いは、上記アップリンクパイロットスロットの長さが4416×Tsであり、Tcp=480×Tsである場合、上記設定される時間長さが4896×Tsである。
【００３２】
或いは、上記アップリンクパイロットスロットの長さが4400×Tsであり、Tcp=448×Tsである場合、上記設定される時間長さが4848×Tsである。
【００３３】
或いは、上記アップリンクパイロットスロットの長さが4384×Tsであり、Tcp=432×Tsである場合、上記設定される時間長さが4816×Tsである。
【００３４】
或いは、上記アップリンクパイロットスロットの長さが4416×Tsであり、Tcp=464×Tsである場合、上記設定される時間長さが4880×Tsであるのいずれかで送信する。
【００３５】
さらに、上記送信方法は上記無線通信システムが時分割複信モードが採用された長期発展型システムであり、上記符号が直交周波数多重符号であることを特徴としている。
【発明の効果】
【００３６】
本発明は設計されたRACHチャンネル構造により、ランダムアクセスチャンネルにおける信号の送信方法を提供する。Preambleがその後のアップリンクサブフレームのデータを干渉することを避け、ランダムアクセルチャンネルのカバー範囲を有効に拡大し、TDDシステムの効率を向上させる。さらに、実施例のあったCP設計により、マルチパスの環境でランダムアクセスの成功率が保証できる。
【図面の簡単な説明】
【００３７】
【図１】図1はLTEシステムTDDモードのフレームの構造である。
【図２】図2はRACHのチャンネル構造の略図である。
【図３】図3は本発明の第1種類のRACHチャンネル構造の略図である。
【図４】図4は本発明の第2種類のRACHチャンネル構造の略図である。
【発明を実施するための形態】
【００３８】
下記の内容は図面および実施例を参照しながら、本発明の実施の方式を詳しく説明する。本発明の技術的な手段で技術課題を解決する方法、及び技術的効果の実現過程について、十分に理解し、実施することができる。
【００３９】
本発明は、preambleの前にCPが配置されるかどうかに基づいて、二種類のRACHチャンネル構造及び対応する信号の送信方法が提案されている。下記は別々に述べる。
【００４０】
第1実施例
図3に示すように、本実施例のRACHチャンネル構造は、preambleの前にCPが配置されなく、即ち、Tcp=0×Tsであり、 preambleの長さは2つのCPのついていないOFDM(直交周波数多重)符号の合計の長さである。OFDM符号毎にTpre/2=133.34μsの長さであり、即ち、Tpre=4096×Tsである。その中、Ts=1/30.72μsであり、LTEシステムTDDモードに定義されたタイムの単位である。
【００４１】
RACHで信号を送信する時刻は、下記のように二つの方式がある。
【００４２】
A.  端末はUpPTSの終わりの位置よりn×Ts前にプリアンブルを送信することができる。その中、n×TsはUpPTSの長さであり、nはUpPTSの長さに含まれているTsの数である。
【００４３】
B.  端末はUpPTSの終わりの位置よりm×Ts前にプリアンブルを送信することができる。その中、m×Tsは、RACHが位置するUpPTSに含まれている符号(CPがついている)の全長である。その長さは、RACHが位置するUpPTSに含まれているOFDM符号の数及び種類により定まれるものである。長いCPの符号が(512+2048)Ts=2560Tsである。第1種類の短いCPの符号は(144+2048)Ts=2192Tsであり、第2種類の短いCPの符号は、(160+2048)Ts=2208Tsである。
【００４４】
下記は具体的な応用例である。
【００４５】
例一
Preambleの前にCPが配置されなく、即ち、Tcp=0×Tsであり、preambleの長さが2つのCPのついていないOFDM符号の合計の長さであり、即ち、Tpre=4096×Tsである。その中、Ts=1/30.72μsである。
【００４６】
UpPTSの長さは4400×Tsの場合、RACHにおける信号(即ちプリアンブル)がUpPTSの終わりの位置より4400×Ts前に送信される。
【００４７】
例二
Preambleの前にCPが配置されなく、即ち、Tcp=0×Tsであり、preambleの長さが2つのCPのついていないOFDM符号の合計の長さであり、即ち、Tpre=4096×Tsである。その中、Ts=1/30.72μsである。
【００４８】
UpPTSの長さは4384×Tsの場合、RACHにおける信号(即ちプリアンブル)がUpPTSの終わりの位置より4384×Ts前に送信される。
【００４９】
例三
Preambleの前にCPが配置されなく、即ち、Tcp=0×Tsであり、preambleの長さが2つのCPのついていないOFDM符号の合計の長さであり、即ち、Tpre=4096×Tsである。その中、Ts=1/30.72μsである。
【００５０】
UpPTSの長さは4416×Tsの場合、RACHにおける信号(即ちプリアンブル)がUpPTSの終わりの位置より4416×Ts前に送信される。
【００５１】
以上の例において、RACHが位置するUpPTSスロットのCPつきの符号の全長は、UpPTSスロットの長さと等しく、即ち、m=n=2である。A方式及びB方式の結果は一致している。mよりnが大きい場合、A方式はB方式よりRACHの先頭の位置が前に位置する。
【００５２】
第2実施例
図4に示すように、本実施例によるRACHのチャンネル構造は、preambleの前にCPが配置されている。その場合、preambleの長さは2つのCPのついていないOFDM符号の合計の長さであり、即ち、Tpre=4096×Tsであり。その中、Ts=1/30.72μsである。
【００５３】
CPの長さは下記の二種類の形式で確認できる。
【００５４】
A．配置されているCPの長さは、Tcp=m×Ts-Tpre+Tdsである。その中、m×Tsは、RACHが位置するUpPTSのCPつきの符号の全長である。Tdsは、UpPTSで送信されたRACHの応用環境でのマルチパスチャンネルの遅延拡散の最大長さである。単位はμsである。
【００５５】
この場合、RACHにおける信号がUpPTSの終わりの位置よりn×Ts+Tcp前に送信されることができる。その中、n×Tsは、UpPTSの長さである。Tcpをほかの値とする場合も、UpPTSの終わりの位置よりn×Ts+Tcp前に、CP及びプリアンブルを順次に送信することもできる。
【００５６】
B．配置されたCPの長さはTcp=(m×Ts-Tpre)/2+Tds/2であり、各符号の意味が上記と同じである。
【００５７】
この場合、UpPTSの終わりの位置よりm×Ts前にCP及びプリアンブルを順次に送信される。その中、m×Tsは、RACHが位置するUpPTSの符号(CPつき)の全長である。上記と同様に、Tcpを他の値とする場合も、UpPTSの終わりの位置よりm×Ts前にCP及びプリアンブルを順次に送信される。
【００５８】
下記は具体的な応用例である。
【００５９】
例四
Preambleの前にCPが配置される。Preambleの長さが2つのCPのついていないOFDM符号の合計の長さであり、即ち、Tpre=4096×Tsである。その中、Ts=1/30.72μsである。
【００６０】
RACHが位置するUpPTSの符号(CPつき)の全長はUpPTSの全長と同じ、4400×Tsの場合は、Tds=0とすると、Tcp=304×Tsであり、RACHにおける信号がUpPTSの終わりの位置より4704×Ts前に送信される。
【００６１】
例五
Preambleの前にCPが配置される。Preambleの長さが2つのCPのついていないOFDM符号の合計の長さであり、即ち、Tpre=4096×Tsであり、その中、Ts=1/30.72μsである。
【００６２】
RACHが位置するUpPTSの符号(CPつき)の全長はUpPTS の全長と同じ、4384×Tsの場合、Tds=0とすると、Tcp=288×Tsであり、RACHにおける信号がUpPTSの終わりの位置より4672×Ts前に送信される。
【００６３】
例六
Preambleの前にCPが配置される。Preambleの長さが2つのCPのついていないOFDM符号の合計の長さであり、即ち、Tpre=4096×Tsである、その中、Ts=1/30.72μsである。
【００６４】
RACHが位置するUpPTSの符号(CPつき)の全長はUpPTS の全長と同じ、4416×Tsの場合、Tds=0とすると、Tcp=320×Tsであり、RACHにおける信号がUpPTSの終わりの位置より4736×Ts前に送信される。
【００６５】
例七
Preambleの前にCPが配置される。Preambleの長さが2つのCPのついていないOFDM符号の合計の長さであり、即ち、Tpre=4096×Tsである。その中、Ts=1/30.72μsである。
【００６６】
RACHが位置するUpPTSの符号(CPつき)の全長はUpPTS の全長と同じ、4400×Tsの場合、Tds=160とすると、Tcp=464×Tsである。RACHにおける信号がUpPTSの終わりの位置より4864×Ts前に送信される。
【００６７】
例八
Preambleの前にCPが配置される。Preambleの長さが2つのCPのついていないOFDM符号の合計の長さであり、即ち、Tpre=4096×Tsである。その中、Ts=1/30.72μsである。
【００６８】
RACHが位置するUpPTSの符号(CPつき)の全長はUpPTS の全長と同じ、4384×Tsの場合、Tds=160とすると、Tcp=448×Tsである。RACHにおける信号がUpPTSの終わりの位置より4832×Ts前に送信される。
【００６９】
例九
Preambleの前にCPが配置される。Preambleが2つのCPのついていないOFDM符号の合計の長さであり、即ち、Tpre=4096×Tsである。その中、Ts=1/30.72μsである。
【００７０】
RACHが位置するUpPTSの符号(CPつき)の全長はUpPTS の全長と同じ、4416×Tsの場合、Tds=160とすると、Tcp=480×Tsであり、RACHにおける信号がUpPTSの終わりの位置より4896×Ts前に送信される。
【００７１】
例十
Preambleの前にCPが配置される。Preambleが2つのCPのついていないOFDM符号の合計の長さであり、即ち、Tpre=4096×Tsである。その中、Ts=1/30.72μsである。
【００７２】
RACHが位置するUpPTSの符号(CPつき)の全長はUpPTS の全長と同じ、4400×Tsの場合、Tds=144とすると、Tcp=448×Tsであり、RACHにおける信号がUpPTSの終わりの位置より4848×Ts前に送信される。
【００７３】
例十一
Preambleの前にCPが配置される。Preambleが2つのCPのついていないOFDM符号の合計の長さであり、即ち、Tpre=4096×Tsである。その中、Ts=1/30.72μsである。
【００７４】
RACHが位置するUpPTSの符号(CPつき)の全長はUpPTS の全長と同じ、4384×Tsの場合、Tds=144とすると、Tcp=432×Tsであり、RACHにおける信号がUpPTSの終わりの位置より4816×Ts前に送信される。
【００７５】
例十二
Preambleの前にCPが配置される。Preambleが2つのCPのついていないOFDM符号の合計の長さであり、即ち、Tpre=4096×Tsである。その中、Ts=1/30.72μsである。
【００７６】
RACHが位置するUpPTSの符号(CPつき)の全長はUpPTS の全長と同じ、4416×Tsの場合、Tds=144とすると、Tcp=464×Tsであり、RACHにおける信号がUpPTSの終わりの位置より4880×Ts前に送信される。
【００７７】
上記の方案のように、本発明は、RACHにおける信号が、UpPTSの先頭の位置に送信される。或いはUpPTSの終わりの位置よりCPつきの符号の長さの整数倍数の前に送信される。RACHにCPがついている場合、当CPは上記した発送位置の前に送信される。preambleの終わりの位置とUpPTSの終わりの位置との距離であるTgtをなるべく長くする。ランダムアクセルチャンネルのカバー範囲が拡大され、TDDシステムの効率が向上されることができる。それと同時に、ダウンリンク信号を干渉することが避けられる。さらに、CP設計の中で、UpPTSにおいて送信されたRACHの応用環境でのマルチパスチャンネルの遅延拡散の最大長さも考えて設計し、マルチパスの環境でもランダムアクセスの成功率が保証されることが可能である。
【００７８】
上記したことは、実施例だけであり、本発明を限定するものではない。当業者にとって、本発明はもっと多くの変更および変化がある。本発明の趣旨及び原則を逸脱しない範囲で、いかなる変更、替代、改善は本発明の請求の範囲に含まれる。例えば、本発明が適用するシステムはLTEシステムに限定されなく、システムの符号もOFDMに限定されない。
【産業上の利用可能性】
【００７９】
本発明のランダムアクセルチャンネルの信号の送信方法は、LTEシステムに適用することができ、ランダムアクセスチャンネルのカバー範囲を有効に拡大し、TDDシステムの効率を向上させ、マルチパスの環境でもランダムアクセスの成功率を保証することができる。
【図１】
2011501930.tif 000003
【図２】
2011501930.tif 000004
【図３】
2011501930.tif 000005
【図４】
2011501930.tif 000006
【国際調査報告】
2011501930.tif 000007
2011501930.tif 000008
2011501930.tif 000009
2011501930.tif 000010